(57)【要約】本発明のトリガー式エアゾール装置のエアゾールキャップは、エアゾール容器内の流体を噴出する噴出孔を有するノズル（２１）と、ノズル（２１）と一体の又はノズルに係合するレバー（３０）と、ノズル（２１）およびレバー（３０）を覆うキャップ本体（４０）とを備え、キャップ本体（４０）は、キャップ本体の少なくとも側面部から突出する羽根部（５０）を有することを特徴とし、エアゾールキャップのトリガー部分を片手で握るのみで大容量のエアゾール装置の重量を支えることが可能なトリガー式エアゾール装置のエアゾールキャップを提供する。
2018008241.tif 000002
【特許請求の範囲】
【請求項１】
トリガー式エアゾール装置のエアゾールキャップであって、  エアゾール容器内の流体を噴出する噴出孔を有するノズルと、  前記ノズルと一体の又はノズルに係合するレバーと、  前記ノズルおよび前記レバーを覆うキャップ本体とを備え、  前記キャップ本体は、前記キャップ本体の少なくとも側面部から突出する羽根部を有することを特徴とする、前記エアゾールキャップ。
【請求項２】
請求項１に記載のエアゾールキャップであって、  前記羽根部が、更に、前記キャップ本体の後部から突出する部分を有することを特徴とする、前記エアゾールキャップ。
【請求項３】
請求項１に記載のエアゾールキャップであって、  前記羽根部は曲面を形成することを特徴とする、前記エアゾールキャップ。
【請求項４】
請求項２に記載のエアゾールキャップであって、  前記羽根部は曲面を形成し、前記羽根部の前記側面部から突出する部分と前記後部から突出する部分とが同一曲面上に一体的に形成されていることを特徴とする、前記エアゾールキャップ。
【請求項５】
請求項３又は４に記載のエアゾールキャップであって、  前記羽根部の前記曲面は、最下点を有し、該最下点はエアゾール装置の重心よりも後方に設けられていることを特徴とする前記エアゾールキャップ。
【請求項６】
請求項５に記載のエアゾールキャップであって、  前記羽根部の前記最下点は、前記ノズルの前記噴出孔の中心点より低く、前記レバーの下端よりも高い位置に設けられていることを特徴とする前記エアゾールキャップ。
【請求項７】
請求項１〜６のいずれか一項に記載のエアゾールキャップであって、  前記キャップ本体は、前記キャップ本体の前記側面部から突出する隆起部を更に有することを特徴とする、前記エアゾールキャップ。
【請求項８】
請求項１〜７のいずれか一項に記載のエアゾールキャップであって、  前記ノズルの前記噴出孔の下に板状部材を更に備えることを特徴とする前記エアゾールキャップ。
【請求項９】
請求項８に記載のエアゾールキャップであって、  前記板状部材が、該板状部材の両側端部から略垂直上方向に延在する側壁を有し、該側壁は、前記板状部材と一体であり又は前記板状部材に取り付けられていることを特徴とする前記エアゾールキャップ。
【請求項１０】
請求項１〜９のいずれか一項に記載のエアゾールキャップであって、  誤噴射防止部材を更に備え、前記誤噴射防止部材は、前記ノズルと連結していることを特徴とする前記エアゾールキャップ。
【請求項１１】
トリガー式エアゾール装置であって、  請求項１〜１０のいずれか一項に記載のエアゾールキャップと、  流体を格納するエアゾール容器と、  を備えることを特徴とする、前記トリガー式エアゾール装置。
【発明の詳細な説明】
【技術分野】
【０００１】  本発明は、トリガー式エアゾール装置に関し、特に、大容量のトリガー式エアゾール容器に用いるエアゾールキャップに関する。
【背景技術】
【０００２】  従来のトリガー式エアゾール装置において、比較的小容量のエアゾール容器の上にエアゾールキャップが装着されている場合には、使用者はエアゾールキャップのトリガー部分を片手で握るのみで、エアゾール装置の重量を十分に支えることが可能である。しかしながら、従来のエアゾールキャップを比較的大容量のエアゾール容器の上に装着して用いた場合には、エアゾールキャップのトリガー部分を片手で握るのみではエアゾール装置の重量を十分に支えることができず、トリガーの操作が困難となるという問題がある。【０００３】  また、比較的小容量のエアゾール本体、比較的大容量のエアゾール本体に関わらず、長時間噴射する場合には、片手で操作するためには、長時間缶を保持する必要があり、トリガーの操作が困難になるという問題がある。【０００４】  また、子供や女性、高齢者など、エアゾール装置の重量を支えるための十分な握力がない使用者の場合には、他方の手でエアゾール装置を支えることが必要となり、エアゾール容器の使用の際に両手が塞がるという不便があった。【０００５】  例えば、特許文献１に記載のエアゾール式噴霧器の場合、使用者は、トリガー部分に人差し指を掛け、他の指と掌でカバー周壁とエアゾール缶の上部を握り、エアゾール装置の重量を支えることが必要である。トリガーの操作時に人差し指が離れると、他の指や掌でエアゾール装置の重量を支える負担が増加する。そのため、大容量のエアゾール缶の重量を片手のみで支えることは困難となり、長時間の噴射も困難となり、特許文献１に記載のエアゾール式噴霧器のキャップ部分は、大容量のエアゾール装置の重量を支えること及び長い間噴射を行うためには適していない。
【先行技術文献】
【特許文献】
【０００６】
【特許文献１】特開２００１−１５８４８４号公報
【特許文献２】特開２００６−１３０４１５号公報
【特許文献３】特開２００１−１４９８２６号公報
【発明の概要】
【発明が解決しようとする課題】
【０００７】  そのような課題を解決するため、特許文献２に記載のトリガー式噴出器では、装着キャップの後部下面より後方へ突設した板状部下面に、装着キャップに把持部を握った手の上面を係止するための係止面を設けている。しかしながら、当該板状部は装着キャップの後部のみに設けられ、手の上面を係止する面積が小さいため、主に把持部を握る握力によって容器体の重量を支えている。即ち、当該板状部は、手の滑り止めとしての役割を担うことはできるが、大容量のエアゾール装置の重量を支えること及び長い間噴射を行うためには適していない。【０００８】  また、特許文献３のトリガー式液体噴出器では、本体カバーの下端部及び後部が張り出した形状をしているが、本体カバーは噴出器本体の上部に被せられているのみであり、大容量のエアゾール装置の重量を支えるには適していない。また、特許文献３の本体カバーの張り出した部分に手の甲が引っ掛けるようにトリガーを握ったとしても、本体カバーの下端部と手の甲とが線で接するため、下端部が手の甲に食い込み、大容量のエアゾール容器の重量を支えるには適していない。【０００９】  このように、従来のトリガー式エアゾール装置に用いられるエアゾールキャップは、大容量のエアゾール装置の重量を支えながらトリガー操作をするのには適していないという問題があった。【００１０】  そこで、本発明は、上記課題を解決し、大容量のエアゾール容器に装着された場合であっても、エアゾールキャップのトリガー部分を片手で握るのみで大容量のエアゾール装置の重量を支えることが可能なエアゾールキャップ及び当該エアゾールキャップを備えたエアゾール装置を提供するものである。
【課題を解決するための手段】
【００１１】  上記課題を解決するため、本発明では、エアゾールキャップの少なくとも側面部に、突出した羽根部を有するエアゾールキャップを提供する。【００１２】  本発明の第１の態様では、トリガー式エアゾール装置のエアゾールキャップであって、エアゾール容器内の流体を噴出する噴出孔を有するノズルと、ノズルと一体の又はノズルに係合するレバーと、ノズルおよびレバーを覆うキャップ本体とを備え、キャップ本体は、キャップ本体の少なくとも側面部から突出する羽根部を有するエアゾールキャップを提供する。キャップ本体は、好ましくは、キャップ本体の側面部及びキャップ本体の後部から突出する羽根部を有するが、羽根部は、キャップ本体の後部からは突出せず、キャップ本体の側面部のみから突出するようにしてもよい。【００１３】  本発明の第１の態様におけるエアゾールキャップにおいて、羽根部が、更に、キャップ本体の後部から突出する部分を有する。【００１４】  本発明の第１の態様におけるエアゾールキャップにおいて、羽根部は曲面を形成する。【００１５】  本発明の第１の態様におけるエアゾールキャップにおいて、羽根部は曲面を形成し、羽根部の側面部から突出する部分と後部から突出する部分とが同一曲面上に一体的に形成されている。【００１６】  また、本発明の第１の態様におけるエアゾールキャップにおいて、典型的には、羽根部の曲面は、最下点を有し、最下点はエアゾール容器の重心よりも後方に設けられている。【００１７】  また、本発明の第１の態様におけるエアゾールキャップにおいて、典型的には、羽根部の最下点は、ノズルの噴出孔の中心点より低く、レバーの下端よりも高い位置に設けられている。【００１８】  また、本発明の第１の態様におけるエアゾールキャップにおいて、キャップ本体は、キャップ本体の側面部から突出する隆起部を更に有するようにしてもよい。【００１９】  また、本発明の第１の態様におけるエアゾールキャップにおいて、ノズルの噴出孔の下に板状部材を更に備えるようにしてもよい。【００２０】  また、本発明の第１の態様におけるエアゾールキャップにおいて、板状部材が、板状部材の両側端部から略垂直上方向に延在する側壁を有し、側壁は、板状部材と一体であり又は板状部材に取り付けられているようにしてもよい。【００２１】  また、本発明の第１の態様におけるエアゾールキャップにおいて、誤噴射防止部材を更に備え、誤噴射防止部材は、ノズルと連結している。誤噴射防止部材は、ノズルと１箇所で連結するようにしてもよいし、複数箇所で連結するようにしてもよい。【００２２】  また、本発明の第１の態様におけるトリガー式エアゾール装置であって、少なくとも上記のいずれかの特徴を有するエアゾールキャップと、流体を格納するエアゾール容器とを備えるトリガー式エアゾール装置を提供する。【００２３】  ここで、本発明において、「エアゾール装置」は、エアゾール容器とエアゾールキャップとを備える。「エアゾール容器」とは、薬剤を収納可能な容器であり、典型的には缶等の金属性の容器をいうが、プラスチック容器等の樹脂製の容器であってもよい。「エアゾールキャップ」とは、エアゾール容器の上部に取り付けられるキャップ全体を指し、「キャップ本体���とは、キャップ全体からのノズルとレバーを除いた部分を指す。「キャップ本体」は、羽根部を含む。【００２４】  比較的小容量のエアゾール容器とは、例えば２００ｍｌ以下の液体を収容可能なエアゾール容器をいい、比較的大容量のエアゾール容器とは、例えば３００ｍｌを超える液体を収容可能なエアゾール容器をいう。また、ノズルの噴出孔の中心点の位置は、特に記載がない限り、誤噴射防止部材を取外し、エアゾールキャップとステムが係合している時の噴出孔の中心点の位置をいう。【００２５】  また、本明細書において方向又は位置を示す場合の「上」とは、他の定義がされていない限り、エアゾールキャップをエアゾール容器に装着した場合に、エアゾール容器の軸線方向のうちエアゾールキャップのある側をいう。本明細書において方向又は位置を示す場合の「下」とは、他の定義がされていない限り、エアゾールキャップをエアゾール容器に装着した場合に、エアゾール容器の軸線方向のうちエアゾールキャップのある側とは逆の側をいう。【００２６】  本明細書において位置を示す場合の「高い」とは、他の定義がされていない限り、エアゾールキャップをエアゾール容器に装着した場合に、エアゾール容器のキャップを装着していない底面からの軸線方向距離が大きいことをいう。本明細書において位置を示す場合の「低い」とは、他の定義がされていない限り、エアゾールキャップをエアゾール容器に装着した場合に、エアゾール容器のキャップを装着していない底面からの軸線方向距離が小さいことをいう。【００２７】  本明細書において「前」とは、他の定義がされていない限り、エアゾールキャップの噴出口がある側をいい、「後」とはエアゾールキャップの噴出口がある側とは逆の側をいう。本明細書において「側面」とは、他の定義がされていない限り、エアゾールキャップを噴出口がある側から見た場合の側面をいう。
【発明の効果】
【００２８】  本発明によれば、大容量のエアゾール容器を有するエアゾール装置に装着された場合であっても、エアゾールキャップのトリガー部分を片手で握るのみで大容量のエアゾール装置の重量を支えることが可能となる。  本発明の他の目的、特徴及び利点は添付図面に関する以下の本発明の実施例の記載から明らかになるであろう。
【図面の簡単な説明】
【００２９】
【図１Ａ】図１Ａは、本発明の第１の実施例によるエアゾールキャップを示す斜視図である。
【図１Ｂ】図１Ｂは、本発明の第１の実施例によるエアゾールキャップを示す斜視図である。
【図１Ｃ】図１Ｃは、本発明の第１の実施例によるエアゾールキャップの他の一例を示す斜視図である。
【図１Ｄ】図１Ｄは、本発明の第１の実施例によるエアゾールキャップの他の一例を示す斜視図である。
【図２Ａ】図２Ａは、本発明の第１の実施例によるエアゾールキャップの右側面図である。
【図２Ｂ】図２Ｂは、本発明の第１の実施例によるエアゾールキャップの左側面図である。
【図３Ａ】図３Ａは、本発明の第１の実施例によるエアゾールキャップの正面図である。
【図３Ｂ】図３Ｂは、本発明の第１の実施例によるエアゾールキャップの背面図である。
【図４Ａ】図４Ａは、図３ＡのIV−IV線における断面図である。
【図４Ｂ】図４Ｂは、誤噴射防止部材を取外したときの図３ＡのIV−IV線における断面図である。
【図５Ａ】図５Ａは、本発明の第１の実施例によるエアゾールキャップの平面図である。
【図５Ｂ】図５Ｂは、本発明の第１の実施例によるエアゾールキャップの底面図である。
【図６】図６は、図５ＡのVI−VI線における断面図である。
【図７】図７は、本発明の第１の実施例によるエアゾールキャップをエアゾール容器に取り付けたエアゾール装置の使用例を示す図である。
【図８Ａ】図８Ａは、本発明の第２の実施例によるエアゾールキャップを示す斜視図である。
【図８Ｂ】図８Ｂは、本発明の第２の実施例によるエアゾールキャップを示す斜視図である。
【図８Ｃ】図８Ｃは、本発明の第２の実施例によるエアゾールキャップの他の一例を示す斜視図である。
【図８Ｄ】図８Ｄは、本発明の第２の実施例によるエアゾールキャップの他の一例を示す斜視図である。
【図９Ａ】図９Ａは、本発明の第２の実施例によるエアゾールキャップの右側面図である。
【図９Ｂ】図９Ｂは、本発明の第２の実施例によるエアゾールキャップの左側面図である。
【図１０Ａ】図１０Ａは、本発明の第２の実施例によるエアゾールキャップの正面図である。
【図１０Ｂ】図１０Ｂは、本発明の第２の実施例によるエアゾールキャップの背面図である。
【図１１Ａ】図１１Ａは、図１０ＡのXI−XI線における断面図である。
【図１１Ｂ】図１１Ｂは、誤噴射防止部材を取外したときの図１０ＡのXI−XI線における断面図である。
【図１２Ａ】図１２Ａは、本発明の第２の実施例によるエアゾールキャップの平面図である。
【図１２Ｂ】図１２Ｂは、本発明の第２の実施例によるエアゾールキャップの底面図である。
【図１３】図１３は、図１２ＡのXIII−XIII線における断面図である。
【図１４】図１４は、本発明の第２の実施例によるエアゾールキャップをエアゾール容器に取り付けたエアゾール装置の使用例を示す図である。
【発明を実施するための形態】
【実施例１】
【００３０】  図１Ａ及び図１Ｂは、本発明の実施例１によるエアゾールキャップ１を示す斜視図である。本発明によるエアゾールキャップ１は、エアゾール容器内の流体を噴出する噴出孔２０を有するノズル２１と、ノズル２１と一体の又はノズル２１に係合するレバー３０と、ノズル２１およびレバー３０を覆うキャップ本体４０とを備え、キャップ本体４０は、キャップ本体４０の少なくとも側面部４１から突出する羽根部５０を有する。キャップ本体４０は、好ましくは、図１Ａ及び図１Ｂのように、キャップ本体４０の側面部４１及びキャップ本体４０の後部４２から突出する羽根部５０を有する。しかしながら、羽根部５０は、キャップ本体４０の後部４２からは突出せず、キャップ本体４０の側面部４１のみから突出するようにしてもよい。【００３１】  また、キャップ本体４０には、誤噴射を防止するための誤噴射防止部材２４が設けられる。誤噴射防止部材２４をキャップ本体４０から取外すと、噴射が可能となる。誤噴射防止部材２４は、ノズル２１と連結している。誤噴射防止部材２４は、好ましくは、ノズル２１と１箇所で連結するが、これに限られず、複数箇所で連結するようにしてもよい。【００３２】  また、キャップ本体４０は、キャップ本体４０の側面部４１から突出する隆起部７０を有する。隆起部７０は、羽根部５０と異なり、キャップ本体４０の後部４２からは突出していない。隆起部７０は、羽根部５０よりも下の位置に設けられる。典型的には、キャップ本体４０の底部に設けられるが、これに限られず、羽根部５０よりも下の位置であれば、キャップ本体４０の側面部４１の任意の位置から突出するようにしてもよい。隆起部７０は、ユーザが隆起部７０と羽根部５０の間を指で握ることができるように羽根部５０から距離を置いて設けられる。キャップ本体４０の羽根部５０と隆起部７０により、窪みを形成することにより、ユーザがキャップ本体４０を握った際の安定感及び使用感が改善することも期待できる。【００３３】  エアゾールキャップ１は、図７の使用例に示されるように、流体の薬剤を格納するエアゾール容器２の上部に搭載され、エアゾール装置１０を構成する。使用者がエアゾールキャップ１を手で保持し、レバー３０に人差し指を掛けて握ることにより、ノズル２１の噴出孔２０から、エアゾール容器２に格納された薬剤が噴出する。【００３４】  羽根部５０の下面は、使用者がレバー３０に人差し指を掛けてエアゾールキャップ１を手で保持した場合に、人差し指及び親指の上面側又は人差し指及び親指の付け根部分の手の甲と接する。【００３５】  また、エアゾールキャップ１は、ノズル２１の噴出孔２０の下に板状部材６０を更に備えるようにしてもよい。板状部材６０は、ノズル２１の内部の薬剤の噴出方向と平行となるように設けてもよい。板状部材６０は、噴出孔２０から薬剤を噴出する際に、噴出された薬剤が使用者の指に付着することを防止する役割、及び噴出孔２０から薬剤を噴出した後に、噴出孔２０から薬剤が垂れることを防止する役割を有する。【００３６】  板状部材６０は、板状部材６０の両側端部から略垂直上方向に延在する側壁６０ａ、６０ｂを有するようにしてもよい。側壁６０ａ、６０ｂは、板状部材６０と一体で���り又は板状部材６０に取り付けられているようにしてもよい。側壁６０ａ、６０ｂの高さは、図１Ａ及び図１Ｂに示すように、ノズル２１の噴出孔２０より低くてもよく、板状部材６０の先端からキャップ本体４０の内部へ向かってテーパー状に次第に高くなるようにしてもよい。他の一例では、側壁６０ａ、６０ｂの高さは、図１Ｃ及び図１Ｄに示すように、ノズル２１の上部よりも高い位置まで延在するようにしてもよい。【００３７】  図１Ｃ及び図１Ｄに示すように、側壁６０ａ、６０ｂの高さをノズル２１の上部よりも高い位置まで延在させることにより、使用開始時に誤噴射防止部材２４を切り取る際に、側壁６０ａ、６０ｂの上部がキャップ本体４０に接触することで、ノズル２１がキャップ本体４０に直接接触することを防止することができる。この構造により、キャップ本体４０の厚みを薄くした場合でもキャップ本体４０の変形を防止できるため、キャップ本体４０の厚みを従来と比較して薄くすることが可能となる。【００３８】  なお、以下の図２Ａ〜図７においては、板状部材６０の側壁６０ａ、６０ｂが図１Ａ及び図１Ｂに示す形状である場合を例として記載するが、図２Ａ〜図７における側壁６０ａ、６０ｂ以外の形状及び図２Ａ〜図７についての以下の説明は、板状部材６０の側壁６０ａ、６０ｂが図１Ｃ及び図１Ｄに示す形状である場合にも、同様に採用される。【００３９】  図２Ａは、本発明の第１の実施例によるエアゾールキャップ１の右側面図であり、図２Ｂは、本発明の第１の実施例によるエアゾールキャップ１の左側面図である。ここで、羽根部５０の噴出孔２０側の端点を前方端点５１とし、羽根部５０の噴出孔２０と反対側の端点を後方端点５３とする。典型的には、垂直方向において、前方端点５１は後方端点５３よりも高い位置に設けられ、羽根部５０は、前方端点５１と後方端点５３を結ぶ曲面を形成する。羽根部５０の曲面について、曲面の垂直方向の位置が最も低くなる点を最下点５２とする。最下点５２は前方端点５１と後方端点５３の間に設けられる。【００４０】  また、羽根部５０の最下点５２は、垂直方向において、キャップ本体４０の頂部より低く、レバー３０の下端部３１よりも高い位置に設けられていればよい。例えば、最下点５２は、誤噴射防止部材２４を取外し、エアゾールキャップ１とステム２３が係合している時の噴出孔２０の中心点２２よりも垂直方向に１０ｍｍ高い位置よりも低く、レバー３０の下端部３１よりも高い位置に設けられるようにしてもよい。好ましくは、最下点５２は、ノズル２１の噴出孔２０の中心点２２よりも垂直方向に５〜２０ｍｍ低い位置に設けられ、より好ましくはノズル２１の噴出孔２０の中心点２２よりも垂直方向に５〜１５ｍｍ低い位置に設けられる。【００４１】  これにより、使用者がレバー３０を握った際に、人差し指と親指の上面又は人差し指と親指の付け根部分の手の甲に、羽根部５０の下面が接する。この使用者の手と羽根部５０の下面が接する面により、エアゾール装置の重量を支えることができる。これにより、使用者は、エアゾールキャップ及びエアゾール容器を握る握力のみではなく、当該羽根部５０の下面と接する面により、エアゾール装置の重量を支えることが可能となる。【００４２】  羽根部５０の最下点５２は、典型的には、エアゾール装置の重心よりも後方に設けられる。これにより、エアゾール装置の重量が、使用者の指先ではなく人差し指と親指の付け根側にかかり、人差し指によるレバー３０の操作が容易となり、エアゾール装置の重量を安定して支えることができるという効果を奏する。【００４３】  図３Ａは、本発明の第１の実施例によるエアゾールキャップ１の正面図であり、図３Ｂは、本発明の第１の実施例によるエアゾールキャップ１の背面図である。羽根部５０の前方端点５１は、典型的には、垂直方向において、ノズル２１の噴出孔２０の中心点２２よりも高い位置に設けられる。好ましくは、前方端点５１は、ノズル２１の噴出孔２０の中心点２２よりも垂直方向に５ｍｍ以上高い位置に設けられるが、これに限られず、指の操作性を妨げない限り、前方端点５１は、垂直方向において、キャップ本体４０の頂部より低く、レバー３０の下端部３１よりも高い任意の位置に設けてもよい。【００４４】  また、羽根部５０の後方端点５３は、典型的には、垂直方向において、ノズル２１の噴出孔２０の中心点２２よりも低い位置に設けられる。好ましくは、後方端点５３は、ノズル２１の噴出孔２０の中心点２２よりも垂直方向に５〜２０ｍｍ低い位置、より好ましくは５〜１５ｍｍ低い位置に設けられるが、これに限られず、後方端点５３は、垂直方向において、キャップ本体４０の頂部より低く、レバー３０の下端部３１よりも高い任意の位置に設けてもよい。【００４５】  図４Ａは、図３ＡのIV−IV線における断面図である。図４Ａに示す通り、キャップ本体４０の内部において、レバー３０は、ノズル２１と一体であるか、ノズル２１に係合している。図４Ｂは、誤噴射防止部材を取外したときの図３ＡのIV−IV線における断面図である。【００４６】  図５Ａは、本発明の第１の実施例によるエアゾールキャップ１を上から見た平面図であり、図５Ｂは、本発明の第１の実施例によるエアゾールキャップ１を下から見た底面図である。ここで、羽根部５０の図５Ａの右方向に最も突出した点を右端点５４とし、図５Ａの左方向に最も突出した点を左端点５５とする。羽根部５０の右端点５４は、ノズル２１の噴出孔２０の中心点２２から幅Ｗ１だけ右方向に配置される。幅Ｗ１は、好ましくは、２５ｍｍ以上であるが、これに限られず、幅Ｗ１は、１０ｍｍ〜５０ｍｍであってもよい。【００４７】  同様に、羽根部５０の左端点５５は、ノズル２１の噴出孔２０の中心点２２から幅Ｗ２だけ左方向に配置される。幅Ｗ２は、好ましくは、２５ｍｍ以上であるが、これに限られず、幅Ｗ２は、１０ｍｍ〜５０ｍｍであってもよい。【００４８】  幅Ｗ１と幅Ｗ２の大きさは、典型的には、同一であるが、幅Ｗ１と幅Ｗ２が異なる幅であってもよい。【００４９】  キャップ本体４０の隆起部７０は、側面部４１から突出しているが、キャップ本体４０の羽根部５０の右端点５４及び左端点５５は、キャップ本体４０の隆起部７０よりも突出している。即ち、幅Ｗ１及び幅Ｗ２は、それぞれキャップ本体４０の隆起部７０の右方向への突出の幅及び左方向への突出の幅よりも大きい。【００５０】  ここで、キャップ本体４０の後部４２のうち羽根部５０より下の部分を後壁���５６と定義した場合に、羽根部５０の後方端点５３は、後壁部５６から幅Ｗ３だけ後方に突出する。幅Ｗ３は、好ましくは、５〜１５ｍｍであるが、これに限られず、５〜５０ｍｍであってもよい。【００５１】  羽根部５０は、曲面を形成し、図５Ａ及び図５Ｂに示すように、羽根部５０の側面部４１から突出する部分と後部４２から突出する部分とが同一曲面上に一体的に形成されている。【００５２】  図６は、図５ＡのVI−VI線における断面図である。羽根部５０の厚みは、典型的には、外側に突出するに従ってテーパー状に薄くなるが、これに限られず、羽根部５０が一定の厚みを有するようにしてもよい。また、羽根部５０の最厚部の厚みは、典型的には、１〜５ｍｍであるが、これに限られず、成形可能で、荷重に対して変形が起きない厚みであればよい。【００５３】  図７は、本発明の第１の実施例によるエアゾールキャップ１をエアゾール容器２に取り付けたエアゾール装置１０の使用例を示す図である。図７に示すように、使用者がレバー３０に人差し指を掛けて握ると、羽根部５０の下面と、使用者の人差し指及び親指の上面又は人差し指と親指の付け根部分の手の甲とが接する。この下面と使用者の手とが接する面により、エアゾール装置１０の重量を支えることができる。これにより、キャップ本体４０又はエアゾール容器２を握ってエアゾール装置１０の重量を支えるための握力を小さくすることができる。
【実施例２】
【００５４】  図８Ａおよび図８Ｂは、本発明の第２の実施例によるエアゾールキャップを示す斜視図である。第２の実施例では、羽根部１５０の形状が、第１の実施例の羽根部５０の形状と異なる。その他については第１の実施例と同じであるため、ここでは説明を省略する。  第１の実施例の羽根部５０は、キャップ本体の後部４２及び側面部４１の全体にわたって突出しているのに対し、第２の実施例の羽根部１５０は、キャップ本体の後部４２及び側面部４１の中方から後方部分にわたって突出している。【００５５】  図８Ｃおよび図８Ｄは、本発明の第２の実施例によるエアゾールキャップの他の一例を示す斜視図であり、図１Ｃおよび図１Ｄと同様に、板状部材６０の両側端部から略垂直上方向に延在する側壁６０ａ、６０ｂの高さが、ノズル２１の上部よりも高い位置まで延在するようにした例を示している。【００５６】  なお、以下の図９Ａ〜図１４においては、板状部材６０の側壁６０ａ、６０ｂが図８Ａ及び図８Ｂに示す形状である場合を例として記載するが、図９Ａ〜図１４における側壁６０ａ、６０ｂ以外の形状及び図９Ａ〜図１４についての以下の説明は、板状部材６０の側壁６０ａ、６０ｂが図８Ｃ及び図８Ｄに示す形状である場合にも、同様に採用される。【００５７】  図９Ａは、本発明の第２の実施例によるエアゾールキャップの右側面図であり、図９Ｂは、本発明の第２の実施例によるエアゾールキャップの左側面図である。ここで、第２の実施例による羽根部１５０の噴出孔２０側の端点を前方端点１５１とし、羽根部１５０の噴出孔２０と反対側の端点を後方端点１５３とする。典型的には、垂直方向において、前方端点１５１は後方端点１５３よりも高い位置に設けられるが、前方端点１５１と後方端点１５３とが実質的に同じ高さになるようにしてもよく、後方端点１５３を前方端点１５１よりも高い位置に設けるようにしてもよい。羽根部１５０は、前方端点１５１と後方端点１５３を結ぶ曲面を形成する。羽根部１５０の曲面について、曲面の垂直方向の位置が最も低くなる点を最下点１５２とする。最下点１５２は前方端点１５１と後方端点１５３の間に設けられる。【００５８】  羽根部１５０の最下点１５２は、垂直方向において、キャップ本体４０の頂部より低く、レバー３０の下端部３１よりも高い位置に設けられていればよい。例えば、最下点１５２は、誤噴射防止部材２４を取外し、エアゾールキャップ１とステム２３が係合している時の噴出孔２０の中心点２２よりも垂直方向に１０ｍｍ高い位置よりも低く、レバー３０の下端部３１よりも高い位置に設けられるようにしてもよい。好ましくは、最下点１５２は、ノズル２１の噴出孔２０の中心点２２よりも垂直方向に５〜２０ｍｍ低い位置に設けられ、より好ましくはノズル２１の噴出孔２０の中心点２２よりも垂直方向に５〜１５ｍｍ低い位置に設けられる。【００５９】  これにより、使用者がレバー３０を握った際に、人差し指と親指の上面又は人差し指と親指の付け根部分の手の甲に、羽根部１５０の下面が接するようにする。この使用者の手と羽根部１５０の下面が接する面により、エアゾール容器の重量を支えることができる。これにより、使用者は、エアゾールキャップ及びエアゾール容器を握���握力のみではなく、当該羽根部１５０の下面と接する面により、エアゾール装置の重量を支えることが可能となる。【００６０】  羽根部１５０の最下点１５２は、典型的には、エアゾール装置の重心よりも後方に設けられる。これにより、エアゾール装置の重量が、使用者の指先ではなく人差し指と親指の付け根側にかかり、人差し指によるレバー３０の操作が容易となり、エアゾール容器の装置を安定して支えることができるという効果を奏する。【００６１】  図１０Ａは、本発明の第２の実施例によるエアゾールキャップ１の正面図であり、図１０Ｂは、本発明の第２の実施例によるエアゾールキャップ１の背面図である。羽根部１５０の前方端点１５１は、典型的には、垂直方向において、ノズル２１の噴出孔２０の中心点２２よりも低い位置に設けられる。好ましくは、前方端点１５１は、ノズル２１の噴出孔２０の中心点２２よりも垂直方向に５〜２０ｍｍ低い位置、より好ましくは５〜１５ｍｍ低い位置に設けられるが、これに限られず、前方端点１５１は、指の操作性を妨げない限り、垂直方向において、キャップ本体４０の頂部より低く、レバー３０の下端部３１よりも高い任意の位置に設けてもよい。【００６２】  また、羽根部１５０の後方端点１５３は、典型的には、垂直方向において、ノズル２１の噴出孔２０の中心点２２よりも低い位置に設けられる。好ましくは、後方端点１５３は、ノズル２１の噴出孔２０の中心点２２よりも垂直方向に５〜２０ｍｍ低い位置、より好ましくは５〜１５ｍｍ低い位置に設けられるが、これに限られず、後方端点１５３は、垂直方向において、キャップ本体４０の頂部より低く、レバー３０の下端部３１よりも高い位置に設けられていればよい。【００６３】  図１１Ａは、図１０ＡのXI−XI線における断面図である。図１１Ａに示す通り、キャップ本体４０の内部において、レバー３０は、ノズル２１と一体であるか、ノズル２１に係合している。図１１Ｂは、誤噴射防止部材を取外したときの図１０ＡのXI−XI線における断面図である。【００６４】  図１２Ａは、本発明の第２の実施例によるエアゾールキャップを上から見た平面図であり、図１２Ｂは、本発明の第２の実施例によるエアゾールキャップを下から見た底面図である。図１２Ａに示すように、第２の実施例によるエアゾールキャップ１の羽根部１５０は、上から見た場合に、略扇型になるようにしてもよい。ここで、羽根部１５０の図１２Ａの右方向に最も突出した点を右端点１５４とし、図１２Ａの左方向に最も突出した点を左端点１５５とする。羽根部１５０の右端点１５４は、ノズル２１の噴出孔２０の中心点２２から幅Ｗ１１だけ右方向に配置される。幅Ｗ１１は、好ましくは、２５ｍｍ以上であるが、これに限られず、幅Ｗ１１は、１０ｍｍ〜５０ｍｍであってもよい。【００６５】  同様に、羽根部１５０の左端点１５５は、ノズル２１の噴出孔２０の中心点２２から幅Ｗ１２だけ左方向に配置される。幅Ｗ１２は、好ましくは、２５ｍｍ以上であるが、これに限られず、幅Ｗ１２は、１０ｍｍ〜５０ｍｍであってもよい。【００６６】  幅Ｗ１１と幅Ｗ１２の大きさは、典型的には、同一であるが、幅Ｗ１１と幅Ｗ１２が異なる幅であってもよい。【００６７】  キャップ本体４０の隆���部７０は、側面部４１から突出しているが、キャップ本体４０の羽根部１５０の右端点１５４及び左端点１５５は、キャップ本体４０の隆起部７０よりも突出している。即ち、幅Ｗ１１及び幅Ｗ１２は、それぞれキャップ本体４０の隆起部７０の右方向への突出の幅及び左方向への突出の幅よりも大きい。【００６８】  ここで、キャップ本体４０の後部４２のうち羽根部１５０より下の部分を後壁部１５６と定義した場合に、羽根部１５０の後方端点１５３は、後壁部１５６から幅Ｗ１３だけ後方に突出する。幅Ｗ１３は、好ましくは、５〜１５ｍｍであるが、これに限られず、５〜５０ｍｍであってもよい。【００６９】  羽根部１５０は、曲面を形成し、図１２Ａ及び図１２Ｂに示すように、羽根部１５０の側面部４１から突出する部分と後部４２から突出する部分とが同一曲面上に一体的に形成されている。【００７０】  図１３は、図１２ＡのXIII−XIII線における断面図である。羽根部１５０の厚みは、典型的には、外側に突出するに従ってテーパー状に薄くなるが、これに限られず、羽根部１５０が一定の厚みを有するようにしてもよい。また、羽根部１５０の最厚部の厚みは、典型的には、１〜５ｍｍであるが、これに限られず、成形可能で、荷重に対して変形が起きない厚みであればよい。【００７１】  図１４は、本発明の第２の実施例によるエアゾールキャップ１をエアゾール容器２に取り付けたエアゾール装置１０の使用例を示す図である。図１４に示すように、使用者がレバー３０に人差し指を掛けて握ると、羽根部１５０の下面と、使用者の人差し指及び親指の上面又は人差し指と親指の付け根部分の手の甲とが接する。この下面と使用者の手とが接する面により、エアゾール装置１０の重量を支えることができる。これにより、キャップ本体４０又はエアゾール容器２を握ってエアゾール装置１０の重量を支えるための握力を小さくすることができる。【００７２】  上記記載は実施例についてなされたが、本発明はそれに限らず、本発明の精神と添付の請求の範囲の範囲内で種々の変更および修正をすることができることは当業者に明らかである。
【符号の説明】
【００７３】  １  エアゾールキャップ  ２  エアゾール容器  １０  エアゾール装置  ２０  噴出孔  ２１  ノズル  ２２  中心点  ２３  ステム  ２４  誤噴射防止部材  ３０  レバー  ３１  下端部  ４０  キャップ本体  ４１  側面部  ４２  後部  ５０  羽根部  ５１  前方端点  ５２  最下点  ５３  後方端点  ５４  右端点  ５５  左端点  ５６  後壁部  ６０  板状部材  １５０  羽根部  １５１  前方端点  １５２  最下点  １５３  後方端点  １５４  右端点  １５５  左端点  １５６  後壁部
【図１Ａ】
2018008241.tif 000003
【図１Ｂ】
2018008241.tif 000004
【図１Ｃ】
2018008241.tif 000005
【図１Ｄ】
2018008241.tif 000006
【図２Ａ】
2018008241.tif 000007
【図２Ｂ】
2018008241.tif 000008
【図３Ａ】
2018008241.tif 000009
【図３Ｂ】
2018008241.tif 000010
【図４Ａ】
2018008241.tif 000011
【図４Ｂ】
2018008241.tif 000012
【図５Ａ】
2018008241.tif 000013
【図５Ｂ】
2018008241.tif 000014
【図６】
2018008241.tif 000015
【図７】
2018008241.tif 000016
【図８Ａ】
2018008241.tif 000017
【図８Ｂ】
2018008241.tif 000018
【図８Ｃ】
2018008241.tif 000019
【図８Ｄ】
2018008241.tif 000020
【図９Ａ】
2018008241.tif 000021
【図９Ｂ】
2018008241.tif 000022
【図１０Ａ】
2018008241.tif 000023
【図１０Ｂ】
2018008241.tif 000024
【図１１Ａ】
2018008241.tif 000025
【図１１Ｂ】
2018008241.tif 000026
【図１２Ａ】
2018008241.tif 000027
【図１２Ｂ】
2018008241.tif 000028
【図１３】
2018008241.tif 000029
【図１４】
2018008241.tif 000030
【国際調査報告】
2018008241.tif 000031
2018008241.tif 000032
2018008241.tif 000033
2018008241.tif 000034